(57)【特許請求の範囲】
【請求項１】
外部からの信号入力を行うための複数のコネクタを有し、画像表示装置とは別体で構成するとともに、前記画像表示装置とケーブルを用いて電気的に接続されるコネクタユニットと、
前記コネクタユニットを前記画像表示装置の背面部に着脱可能なように保持する保持手段と、を有し、
前記保持手段は、前記コネクタユニットが有するコネクタに信号入力線が接続された状態で、前記信号入力線が前記画像表示装置の背面方向に突出しないように、前記コネクタユニットを保持することを特徴とする画像表示装置。
【請求項２】
前記コネクタユニットは、前記保持手段による保持状態を解除した場合に、前記画像表示装置の背面部から前記画像表示装置の前面側へ引き出すことが可能であることを特徴とする請求項１に記載の画像表示装置。
【請求項３】
前記画像表示装置または前記コネクタユニットの少なくともどちらか一方に、前記画像表示装置の背面部に設けられた前記コネクタユニットの装着位置に、前記コネクタユニットが装着されているか否かを検出する検出手段を備え、
前記検出手段により前記コネクタユニットが前記画像表示装置の装着位置に装着されていないと検出された場合は、前記コネクタユニットと前記画像表示装置間の電気的接続を遮断することを特徴とする請求項１に記載の画像表示装置。
【請求項４】
前記コネクタユニットと前記画像表示装置間の電気的接続が遮断されている場合、使用者の操作によって、前記コネクタユニットと前記画像表示装置間の電気的接続を回復する回復手段を有し、
前記コネクタユニットが前記画像表示装置の装着位置に装着されていない場合でも、前記回復手段によって電気的接続の回復が可能であることを特徴とする請求項３に記載の画像表示装置。
【請求項５】
前記画像表示装置の背面部以外の面に、前記保持手段による前記コネクタユニットの保持状態を解除するための操作部を有することを特徴とする請求項１乃至４のいずれか１項に記載の画像表示装置。
【発明の詳細な説明】
【０００１】
【発明の属する技術分野】
本発明はテレビジョン受像機等の画像表示装置に係り、特に薄型の画像表示装置に関するものである。
【０００２】
【従来の技術】
従来、放送を受信し画像及び音声を再生する装置であるテレビジョン受像機には表示装置としてブラウン管が多く用いられているが、近年プラズマディスプレイ装置（以下ＰＤＰ）や液晶ディスプレイ装置等の技術を用いた薄型の表示装置がテレビジョン受像機として使用され始めている。またテレビジョン受像機は放送受信したものを再生するだけでなくＶＴＲ、ＤＶＤ、デジタルカメラ、、ゲーム機などといった様々な外部周辺機器群とコネクタを介して接続可能に構成されている。また前記外部周辺機器群は前記テレビジョン受像機と常時接続されるものや必要時だけ接続されるもの等様々である。また前記外部周辺機器群と接続される前記テレビジョン受像機の前記コネクタは図１０に示すように前記テレビジョン受像機の背面に固定的に設けられている。同図は前記テレビジョン受像機を背面方向から見た図であり、８はテレビジョン受像機、８０１はテレビジョン受像機に固定されたはコネクタ群であって、コネクタ群８０１と外部周辺機器は不図示のケーデルにより接続される。また接続時はケーデル類のジャック等が背面方向に突出しないように下方を向くように考慮されている。
【０００３】
【発明が解決しようとする課題】
従来のように、コネクタを前記テレビジョン受像機の背面に設けると使用者から見えない位置になるため、前記外部周辺機器とコネクタとの接続を行いずらく改善が求められている。特に前記テレビジョン受像機が薄型である場合、その薄さを生かして壁面設置等、壁に密着した設置方法が取られることも多く、この場合使用者がコネクタ着脱を行おうとする時は壁面があるので前記テレビジョン受像機の裏側に廻り込めないので手探りでコネクタ接続をするかまたは前記テレビジョン受像機を壁面から一端取り外す等の作業が発生するため、接続作業性の改善が課題となっている。
【０００４】
本発明は上述の事情に鑑み考案されたものであって、画像表示装置の背面に設けられたコネクタユニットが、外部機器との接続の際、作業性がよくかつ、このユニットと接続するケーブルの収納を好適にし、かつこれらの電気的接続、遮断を適確にすることのできる画像表示装置を提供することを目的とする。
【０００５】
【課題を解決するための手段】
前途の目的を達成するために本願の請求項１記載の発明は、外部からの信号入力を行うための複数のコネクタを有し、画像表示装置とは別体で構成するとともに、前記画像表示装置とケーブルを用いて電気的に接続されるコネクタユニットと、前記コネクタユニットを前記画像表示装置の背面部に着脱可能なように保持する保持手段と、を有し、前記保持手段は、前記コネクタユニットが有するコネクタに信号入力線が接続された状態で、前記信号入力線が前記画像表示装置の背面方向に突出しないように、前記コネクタユニットを保持することを特徴とする画像表示装置である。
【０００６】
また、請求項２記載の発明は前記コネクタユニットは、前記保持手段による保持状態を解除した場合に、前記画像表示装置の背面部から前記画像表示装置の前面側へ引き出すことが可能であることを特徴とする請求項１に記載の画像表示装置である。
【０００７】
また、請求項３記載の発明は前記画像表示装置または前記コネクタユニットの少なくともどちらか一方に、前記画像表示装置の背面部に設けられた前記コネクタユニットの装着位置に、前記コネクタユニットが装着されているか否かを検出する検出手段を備え、前記検出手段により前記コネクタユニットが前記画像表示装置の装着位置に装着されていないと検出された場合は、前記コネクタユニットと前記画像表示装置間の電気的接続を遮断することを特徴とする請求項１に記載の画像表示装置である。
【０００８】
また、請求項４記載の発明は前記コネクタユニットと前記画像表示装置間の電気的接続が遮断されている場合、使用者の操作によって、前記コネクタユニットと前記画像表示装置間の電気的接続を回復する回復手段を有し、前記コネクタユニットが前記画像表示装置の装着位置に装着されていない場合でも、前記回復手段によって電気的接続の回復が可能であることを特徴とする請求項３に記載の画像表示装置である。
【０００９】
また、請求項５記載の発明は前記画像表示装置の背面部以外の面に、前記保持手段による前記コネクタユニットの保持状態を解除するための操作部を有することを特徴とする請求項１乃至４のいずれか１項に記載の画像表示装置である。
【００１７】
【発明の実施の形態】
（第１の実施の形態）
図１は本発明が適用可能なテレビジョン受像機が室内に設置された状態を示している。同図において、１は表示装置であるところの奥行きの小さい薄型のテレビジョン受像機である。室内の壁面に略密着して設置されている。２はテレビジョン受像機１に接続されるＶＴＲやＤＶＤ等の外部周辺機器を収納しているラックである。３はテレビジョン受像機１と前記外部周辺機器を接続している入出力線群でありラック２に収納されている外部機器と接続されている。
【００１８】
図２にテレビジョン受像機１の構造の概略を示す。１０１は中央部分が抜かれた枠状の前側筐体であるところのエスカツション、このエスカツション１０１下部には操作ボタン類を具えている。１０２は前記操作ボタン類を目隠しする蓋、１０３は表示部サイズが対角約１，０１６ｍｍ（４０インチ）アスペクト比１６：９のＰＤＰパネル等からなる表示パネル、１０４は表示パネル１０３を取付けるフレーム、１０５はフレーム１０４に取付けられたスピーカーであり左右に配置されている。１０６は制御基板であって、表示パネル１０３の表示駆動及び入出力信号処理等を行うものである。１０７は背面筐体であるところの背面カバーである。上述構成部材は図中矢印方向に積み重ねるように組み合わされテレビジョン受像機１となる。
【００１９】
図３はテレビジョン受像機１を背面から見た図である。背面カバー１０７の中央部は内部に前記制御基板１０６を配置するために凸になっている。また不図示ではあるが背面カバー１０７には壁面設置のための部材等が備えられている。１０７１は背面カバー１０７に一体的に設けられた円柱状のバーである。４はテレビジョン受像機１が有するコネクタ群がまとまったコネクタユニットであって、４０１はコネクタユニット４に一体的に設けられたＵ字型をしたフックである。４０２はケーブルであってコネクタユニット４と前記制御基板１０６を電気的に接続するものである。
【００２０】
また、３は外部機器からの入出力線群であってコネクタユニット４にコネクタを介して接続されている。入出力線群３は図示のようにコネクタユニット４がテレビジョン受像機１に正しく装着された時下を向くようになっている。ケーブル４０２はテレビジョン受像機１の内部の制御基板と電気的に接続されているだけでなく、ケーブル巻き取り装置により張力を付加されており、コネクタユニット４を引張り上げる方向に力が働いていおり、またコネクタユニット４はフック４０１で背面カバー１０７のバー１０７１に引っかけてぶら下がっているため、テレビジョン受像機１に対して比較的安定した姿勢を保つことが可能である。
【００２１】
図４は背面カバー１０７を内側から見た図であって、１０８はケーブル４０２を巻き取る巻き取り装置であり、ケーデル４０２に常にコネクタユニット４をケーブル４０２を介して引き上げる方向（図中矢印方向）に張力を付与している。ケーブル４０２の他端はコネクタになっていて組立時に制御基板１０６と接続される。
【００２２】
上記構成によれば、コネクタユニット４はテレビジョン受像機１の背面にフック４０１でぶら下がっているだけなので、コネクタユニット４がテレビジョン受像機１の背面に位置していても使用者は容易にこれを着脱可能である。この様にしてテレビジョン受像機１の本体から外されたコネクタユニット４は図５のようにテレビジョン受像機１の前面に引出すことができる。図中４０３はコネクタユニット４に具備されているコネクタ群である。この時ケーブル４０２は巻き取り装置１０８から引出される形でケーブル長が延長されており、また、コネクタユニット４と制御基板の電気的接続は保たれている。同図から分るようにコネクタユニット４がテレビジョン受像機１の前面に引出せることでコネクタ群４０３の配置、形状表記文字も使用者が容易に確認可能になるので外部機器との着脱作業性が大幅に向上する。前記作業終了後はコネクタユニット４をテレビジョン受像機１の背面の所定の位置に戻す。この時ケーブル４０２には前述した巻き取り装置１０８により巻き取り張力が付与されているので、テレビジョン受像機１の背面を視認出来なくとも自走的にコネクタユニット４が所定の位置まで導かれまた、最後にコネクタユニット４のフック４０１を背面カバー１０７のバー１０７１に引っかけることでコネクタユニット４を所定の位置に設置可能となる。
【００２３】
以上説明してきたように、本実施の形態によればテレビジョン受像機と外部機器との接続作業性を大幅に改善したテレビジョン受像機を提供可能になった。
（第２の実施の形態）
次に本発明が適用可能な第２の実施の形態について説明する。図６は第２の実施の形態のコネクタボックスの外観図である。図中、５はコネクタユニット、５０１はアクチエーター、５０２はケーブル、５０３はスライドノブである。コネクタユニット５の不図示のコネクタ群とケーブル５０２は第１の実施の形態のそれらと同等の構成であり、ケーブル５０２は第１の実施の形態と同様にテレビジョン受像機の内部に装備されたケーブル巻き取り装置により巻き取り張力を受けている。
【００２４】
アクチエーター５０１はコネクタユニット５の内部にある検知スイッチ（不図示）と連動しており、図示するように非装着時は常時凸になるように構成してある。本構成でアクチエーター５０１が押下されている時アクチエーター５０１はコネクタユニット５内部の検知スイッチと連動してコネクタ群とテレビジョン受像機の制御基板の電気的接続がＯＮの状態となる。アクチエーター５０１が凸状態の時、上記電気的接続はＯＦＦの状態となる。またスライドノブ５０３はアクチエーター５０１を押下状態で図中矢印方向にスライド可能であり、このようにすることでアクチエーター５０１を押下状態に保つ。即ち電気的接続がＯＮの状態をロックすることが可能になっている。また、アクチエーター５０１に連動した前記内部の検知スイッチ（図８に示す５０５）により電気的接続が遮断された場合、内部シーケンスにより前記遮断状態を一定時間保持するようにしてあり、本件の場合８秒間に設定した。またコネクタユニット５は第１の実施の形態と同様にテレビジョン受像機本体背面に装着されるが、この時コネクタユニット５のアクチエーター５０１はテレビジョン受像機の背面カバーにより押下されるのでコネクタユニット５をテレビジョン受像機に装着した時、電気的接続ＯＮ状態が維持される。また、コネクタユニット５の両側面には装着方向に向かって細くなる楔状の突起５０４を具えている。図７に示すようにテレビジョン受像機１の背面には前記突起５０４に略相似形の凹１０７３が設けてあり、コネクタユニット５装着時は突起５０４が凹１０７３に嵌挿されるとともにコネクタユニット５の位置決めが行われるようにしてある。１０９はロック爪、１０７は背面カバーである。
【００２５】
次に、装着状態の断面図を図８に示す。紙面左右方向は前記突起５０４と凹１０７３により位置決めされている。また、ロック爪１０９はばね１１０の作用で押し上げられ常時凸であり、所定の装着位置でコネクタユニット５の下方への落下を防止するものである。このときアクチエーター５０１は背面カバーにより押下され、検知スイッチ５０５と連動してコネクタ群４０３と制御基板の電気的接続は保たれている。
【００２６】
上記構成において使用者が外部機器とテレビジョン受像機とのコネクタ着脱作業を行う場合、まずロック爪１０９を押下することでコネクタユニット５の下方への移動が可能になり、そのまま下方ヘコネクタユニット５を移動させれば凸５０４と凹１０７３の嵌挿が外れる。この時アクチエーター５０１は開放となり検知スイッチがＯＦＦになるので、コネクタ群４０３の電気的接続は遮断される。このようにすることでコネクタユニット５をテレビジョン受像機の前面まで引出すことが可能になるから第１の実施の形態と同等の効果を得られるだけでなく電気的接続も切れているのでコネクタ接続時の活電接続等の心配が無い安全な作業状態を提供可能となる。またコネクタユニット５が前面に引出されているので使用者は自身でアクチエーター５０１を操作可能であり、電気的接続をＯＮにして正しい接続が行われたか確認することが可能である。また、ゲーム機等を一時的に接続して使用する場合スライドノブ５０３を使用してアクチエーター５０１をロックしてＯＮ状態を保つことも可能である。またＯＦＦシーケンスによりＯＦＦ検知された時、一定時間ＯＦＦ状態を保持するのでアクチェーター５０１に不用意に触れることによる短時間でのＯＮ−ＯＦＦの繰り返しを避ける様にしてあるので、回路保護も同時に実現するものである。コネクタユニット５を所定の位置に装着するにはテレビジョン受像機背面にコネクタユニット５を滑り込ませるだけで楔状の突起５０４と凹１０７３がガイドになっているだけでなく、第１の実施の形態と同様にケーデル５０２の巻取り張力によりコネクタユニット５が装着位置に導かれ、位置決めを殆ど意識せず装着可能であり、コネクタユニット５に押されたロック爪１０９が戻ることで装着認識が可能となる。
【００２７】
以上説明したように本実施の形態によれば第１の実施の形態と同等の効果を奏すとともに、更に操作性が良くまた回路保護機能を実現したテレビジョン受像機の提供が可能になった。
（第３の実施の形態）
次に第３の実施の形態について説明する。本実施の形態の構成は第２の実施の形態とほぼ同等であり、前記実施の形態との相違点は前記テレビジョン受像機の背面に装着された前記コネクタユニットをロックしているロック機構を解除するロック解除ボタンを前記テレビジョン受像機の前面に配置するとともに前記ケーブル巻き取り装置の巻き取り力（張力）が前記コネクタユニットの重さより僅かに小さくなるように設定してある。前記ロック解除ボタンは図２で示した蓋１０２内部に配置されている操作スイッチ頼の一つに割り当ててある。
【００２８】
本実施の形態を図９で説明する。図９は本実施の形態を適用した断面図であって、６はテレビジョン受像機本体、７はコネクタユニット、６０１はロック爪、６０２はばね、６０３はロック解除ボタン、６０４はロック解除ボタン６０３及びロック爪６０１と連結されたロッドである。図９はコネクタユニット７がテレビジョン受像機６の背面に装着されている状態を示している。
【００２９】
上記構成において使用者がテレビジョン受像機６と外部周辺機器との接続を変更する場合を説明する。まず、テレビジョン受像機６前面の蓋１０２内部に配置してあるロック解除ボタン６０３を押下する。ロック解除ボタン６０３を押下することによりロツド６０４はロック爪６０１先端を押して回動させるためコネクタユニット７を抑えている部分をロックを解除する方向に動作させてロックが解除される。この時コネクタユニット７は引力方向にフリーな状態になるがコネクタユニット７の自重にる下方向への力は前記ケーブル巻き取り装置の巻き取り力による上方向への力より大きいので、コネクタユニット７は自然に下がってくる（図中破線部）。即ち使用者が見える位置にコネクタユニット７が出てくるので、他実施の形態と同等の効果を損なうことなく更なる作業性の向上が図れる。
【００３０】
【発明の効果】
以上説明したように、テレビジョン受像機の外部機器と接続するためのコネクタ群を前記テレビジョン受像機本体と別体となるコネクタユニットを設け更に前記テレビジョン受像機とケーブルによる接続としたため、前記外部機器とのコネクタ着脱作業が前記テレビジョン受像機の前面でかつコネクタ部分を視認しながら行うことが可能になったので、コネクタ着脱作業性が大幅に向上するという効果がある。また、前記ケーブルの引き込み手段を設けたことでケーブル処理が楽に行えるようなるという効果がある。また、前記テレビジョン受像機に前記コネクタユニットが装着状態か否かを検知する装着検知手段により、非装着時、前記コネクタユニットヘの電気的接続を遮断することにより活電接続等から電気回路を保護できるという効果がある。
【００３１】
また、前記装着検知手段により電気的接続が遮断された状態から使用者が接続を回復する回復手段を設けることで接続確認が出来るようになるという効果がある。また、前記装着検知手段または回復手段により電気的接続が遮断された時、一定時間遮断状態を保つようにしたことにより短時間に電気的な接続が繰返されることを防止することにより回路保護をするという効果がある。
【００３２】
更に、前記テレビジョン受像機の背面以外の面に前記コネクタユニットのロックを解除するロック解除操作部を設けることにより背面以外でロック解除を行えるようにしたことで前記コネクタユニットを引出すときの作業性を改善するという効果がある。
【図面の簡単な説明】
【図１】本発明が適用可能なテレビジョン受像機の設置状態を示す図である。
【図２】図１のテレビジョン受像機の構造の概略を示す図である。
【図３】図２のテレビジョン受像機を背面から見た図である。
【図４】図３の背面カバーを内部から見た図である。
【図５】図１のコネクタユニットを引出した図である。
【図６】本発明の第２の実施の形態のコネクタユニット外観図である。
【図７】本発明の第２の実施の形態のテレビジョン受像機背面図である。
【図８】本発明の第２の実施の形態のコネクタユニット装着状態を説明する図である。
【図９】本発明の第３の実施の形態を説明する図である。
【図１０】従来例のテレビジョン受像機の背面を説明する図である。
【符号の説明】
１，６，８  テレビジョン受像機
２  ラック
３  入出力線群
４，５，７  コネクタユニット
１０１  エスカッション
１０２  蓋
１０３  表示パネル
１０４  フレーム
１０５  スピーカー
１０６  制御基板
１０７  背面カバー
１０７１  バー
１０８  巻取り装置
１０９  ロック爪
１１０  ばね
４０１  フック
４０２  ケーブル
４０３  コネクタ群
５０１  アクチェーター
５０２  ケーブル
５０３  スライドノブ
５０４  突起
５０５  検知スイッチ
６０１  ロック爪
６０２  ばね
６０３  解除ボタン
６０４  ロツド
８０１  コネクタ群
【図１】
0004298112.tif 000002
【図２】
0004298112.tif 000003
【図３】
0004298112.tif 000004
【図４】
0004298112.tif 000005
【図５】
0004298112.tif 000006
【図６】
0004298112.tif 000007
【図７】
0004298112.tif 000008
【図８】
0004298112.tif 000009
【図９】
0004298112.tif 000010
【図１０】
0004298112.tif 000011